(57)【要約】【課題】  この発明は、光源に使用するランプの種類に関係なく、光源ランプの輝度変化による投射映像のちらつきを抑制することができる投射型映像表示装置を提供することを目的とする。【解決手段】  光源ランプ４の放電電圧を検出する検出手段１３、検出手段１３によって検出される光源ランプ４の放電電圧を監視して、光源ランプ４の放電電圧が変動している状態になっているか否かを判別する判別手段３、光源ランプ４の放電電圧が変動している状態になっている場合には、光源ランプ４の駆動電力および／または駆動電力の周波数を変化させる手段３、ならびに光源ランプ４の駆動電力および／または駆動電力の周波数を変化させることにより、光源ランプ４の放電電圧が変動していない状態になった場合には、光源ランプ４の駆動電力および／または駆動電力の周波数を元の大きさに戻す手段３を備えている。【選択図】  図１
2005227748.tif 000002
【特許請求の範囲】
【請求項１】
光源ランプの放電電圧を検出する検出手段と、検出手段によって検出される光源ランプの放電電圧を監視して、光源ランプの放電電圧が変動している状態になっているか否かを判別する判別手段と、光源ランプの放電電圧が変動している状態になっている場合には、光源ランプの駆動電力および／または駆動電力の周波数を変化させる手段と、光源ランプの駆動電力および／または駆動電力の周波数を変化させることにより、光源ランプの放電電圧が変動していない状態になった場合には、光源ランプの駆動電力および／または駆動電力の周波数を元の大きさに戻す手段とを備えていることを特徴とする投射型映像表示装置。
【請求項２】
前記光源ランプの放電電圧が変動している状態になっている時に、光源ランプの駆動電力および／または駆動電力の周波数を所定値を超えるまで増加させても、光源ランプの放電電圧が変動していない状態に戻らない場合には、光源ランプの放電を停止させることを特徴とする請求項１記載の投射型映像表示装置。
【発明の詳細な説明】
【技術分野】
【０００１】
この発明は、光源ランプと光源ランプの光の強度を変調することによって画像を表示するライトバルブとを備えた、液晶プロジェクタ等の投射型映像表示装置に関する。
【背景技術】
【０００２】
高圧放電ランプは、高輝度であるという特徴から液晶プロジェクタ等の投射型映像表示装置の光源ランプとして用いられている。しかしながら、投射映像のちらつきによる映像の品質劣化が問題となっている。これは、高圧放電ランプ内の放電位置が移動することによって生じる、ランプの輝度変化が原因となっている。
【０００３】
この高圧放電ランプ内での放電位置の移動を防止する投射型映像表示装置としては、単位アーク長あたりの定格電力が設定されたランプを光源に使用すると共に、このランプの輝度変化が生じ難い周波数の交流電圧をランプに印加するものが知られている（例えば、特許文献１参照）。
【特許文献１】特開２０００−３２３２８７号公報
【発明の開示】
【発明が解決しようとする課題】
【０００４】
しかしながら、ランプの温度、電極の形状変化やランプに印加する電圧の変動等により、放電位置が移動してしまう虞がある。そして一旦、放電位置が移動してしまえばその状態を検出することができないと共に、元の放電位置に戻すことができないため、投射映像のちらつきが継続して発生する欠点を有するものである。
【０００５】
また、この特定されたランプが寿命となり新たなランプと交換する際に、一般的なランプに取り換えた場合、この特定された周波数では全ての一般的なランプに対する放電位置の移動抑制効果がないため、放電位置の移動が起こりやすくなる欠点を有するものでもあります。
【０００６】
本願発明はこのような欠点を解決するためになされたものであり、光源に使用するランプの種類に関係なく、ランプの輝度変化による投射映像のちらつきを抑制することができる投射型映像表示装置を提供することを課題とする。
【課題を解決するための手段】
【０００７】
上記課題を解決するための手段は、光源ランプの放電電圧を検出する検出手段、検出手段によって検出される光源ランプの放電電圧を監視して、光源ランプの放電電圧が変動している状態になっているか否かを判別する判別手段、光源ランプの放電電圧が変動している状態になっている場合には、光源ランプの駆動電力および／または駆動電力の周波数を変化させる手段、ならびに光源ランプの駆動電力および／または駆動電力の周波数を変化させることにより、光源ランプの放電電圧が変動していない状態になった場合には、光源ランプの駆動電力および／または駆動電力の周波数を元の大きさに戻す手段を備えていることを特徴とする。
【０００８】
上記課題を解決するための手段において、前記光源ランプの放電電圧が変動している状態になっている時に、光源ランプの駆動電力および／または駆動電力の周波数を所定値を超えるまで増加させても、光源ランプの放電電圧が変動していない状態に戻らない場合には、光源ランプの放電を停止させてもよい。
【発明の効果】
【０００９】
本発明の請求項１の構成によれば、光源ランプの種類に関係なく、放電電圧が変動している状態を検出し、駆動電力の大きさおよび／またはその周波数を増加させることにより、放電位置の変動を迅速に元の状態に戻すことができるため、投射映像のちらつきを抑制することができる等の効果を奏する。
【００１０】
本発明の請求項２の構成によれば、光源ランプの駆動電力の大きさおよび／またはその周波数が所定値を超えた場合、光源ランプの放電を停止させることにより、光源ランプの寿命が極端に低下することを防止することができると共に、光源ランプの破裂を防止することができる等の効果を奏する。
【発明を実施するための最良の形態】
【００１１】
本発明の一実施形態を図面を参照して、以下に詳述する。図１は、投射型映像表示装置に設けられた光源ランプの駆動制御回路の構成を示している。
【００１２】
光源ランプの駆動制御回路は、ＤＣ電源回路１、ランプバラスト２およびマイコン３を備えている。光源ランプ４としては、メタルハライドランプ、高圧水銀ランプ、キセノンランプ等の交流駆動の高圧放電ランプが用いられている。
【００１３】
ランプバラスト２は、ＤＣ電源回路１から供給される直流電力を交流電力に変換して、光源ランプ４に供給するランプ駆動回路１１、ランプ駆動回路１１から出力される光源ランプ４の駆動電力（放電電力）の大きさおよびその周波数（放電周波数）を制御するための制御信号をランプ駆動回路１１に与える制御回路１２およびランプ駆動回路１１に接続されかつランプ点灯状態時のランプ電極間の電圧（以下、放電電圧という）を検出するラ
ンプ電圧検出回路１３を備えている。
【００１４】
ランプ電圧検出回路１３によって検出された放電電圧はマイコン３に与えられる。マイコン３は、ランプ電圧検出回路１３によって検出された放電電圧を監視し、放電電圧が変動している場合には、高圧放電ランプ内の放電位置が移動することによって光源ランプ４の輝度が変化していると判別し、制御回路１２を制御して、放電電圧の変動を抑制させる。
【００１５】
この放電電圧の変動を抑制させる具体的な制御を図２に示すマイコン３による光源ランプ４の制御処理手順に基づいて詳述する。
【００１６】
まず、光源ランプ４が点灯状態になると、マイコン３は、ランプ電圧検出回路１３によって検出された放電電圧を監視し、放電電圧が変動している状態（本実施の形態では標準の放電電圧に対して１％以上上昇した値）となっているか否かを判別する（ステップ１）。この判別には、ランプの温度、電極の形状変化やランプに印加する電圧の上昇等による、一時的な放電電圧の上昇も含まれる虞があるため、ステップ２においてこの状態が所定期間（本実施の形態では略１秒間）継続しているか否かを判断する。
【００１７】
放電電圧が所定期間連続して変動している状態になっていない場合（Ｓ１のＮＯあるいはＳ２のＮＯ）は、継続して放電電圧を監視する。放電電圧が所定期間連続して変動している状態となっている場合（Ｓ２のＹＥＳ）は、マイコン３は、制御回路１２を制御して、ランプ駆動回路１１から出力される光源ランプ４の駆動電力（放電電力）の大きさおよびその周波数（放電周波数）を共に増加させる（ステップ３）。ステップ３において光源ランプ４の駆動電力（放電電力）の大きさおよびその周波数（放電周波数）を増加させる割合は、本実施の形態では初期状態に対して２％程度である。
【００１８】
光源ランプ４の駆動電力の大きさおよびその周波数を増加させることにより、光源ランプ４内のガスの温度を高めることができ、光源ランプ４内の放電位置の変動を抑えることができる。さらに、駆動電力およびその周波数を共に増加させることにより、短時間で効率よく光源ランプ４内のガスの温度を高めることができるため、短時間で光源ランプ４内の放電位置の変動を抑えることができる。。
【００１９】
そして、マイコン３は、ランプ電圧検出回路１３によって検出される放電電圧を監視し、放電電圧の変動が収まったか否かを判別する（ステップ４）。放電電圧の変動が収まっていない場合には、ステップ５において駆動電力およびその周波数が所定値を超えているか否かを判断し、所定値を超えていなければステップ３に戻り、さらに光源ランプ４の駆動電力の大きさおよびその周波数を共に増加させる。
【００２０】
ステップ５において、駆動電力およびその周波数が所定値（本実施の形態では初期状態の略１０％上昇）を超えると、光源ランプ４が寿命間際であり、これ以上駆動電力およびその周波数を増加させても放電位置を元の状態に戻すことはできないと判断して放電を停止させる（ステップ６）
ステップ４において、放電電圧が略元の電圧に戻り（標準の放電電圧に対して１％未満）放電電圧の変動が収まったと判別した場合には、マイコン３は、制御回路１２を制御して、ランプ駆動回路１１から出力される光源ランプ４の駆動電力（放電電力）の大きさおよびその周波数（放電周波数）を元の状態（初期の状態）に戻す（ステップ７）。そして、ステップ１に戻る。
【００２１】
ステップ７において、放電電圧の変動が収まった際に、光源ランプ４の駆動電力の大きさおよびその周波数を元の状態に戻すことにより、電力増加による光源ランプ４の温度上昇によって光源ランプ４の寿命が低下することを防止することができる。
【００２２】
このようにして、光源ランプ４の種類に関係なく、放電電圧が変動している状態を検出し、駆動電力の大きさおよびその周波数を増加させることにより、放電位置の変動を迅速に元の状態に戻すことができるため、投射映像のちらつきを抑制することができる。
【００２３】
また、光源ランプ４の駆動電力の大きさおよびその周波数が所定値を超えた場合、光源ランプ４の放電を停止させることにより、光源ランプ４の寿命が極端に低下することを防止することができると共に、光源ランプ４の破裂を防止することができる。
【００２４】
尚、本発明の実施形態では、光源ランプ４の駆動電力の大きさおよびその周波数を共に増加させたが、この構成に限定されるものではない。駆動電力の大きさまたはその周波数のいずれか一方のみを増加させるように構成してもよい。
【図面の簡単な説明】
【００２５】
【図１】投射型映像表示装置に設けられた光源ランプの駆動制御回路の構成を示すブロック図である。
【図２】マイコン３による光源ランプの制御処理手順を示すフローチャートである。
【符号の説明】
【００２６】
１  ＤＣ電源回路
２  ランプバラスト
３  マイコン
４  光源ランプ
１１  ランプ駆動回路
１２  制御回路
１３  ランプ電圧検出回路
【図１】
2005227748.tif 000003
【図２】
2005227748.tif 000004